(57)【特許請求の範囲】
【請求項１】
裏面に螺旋状突条を形成したつまみの回転操作にてスライダに突設した可動側アタッチメントを、本体側に突設した固定側アタッチメントに対して接離方向に移動可能としてガラス戸を固定するようにしたサッシ窓用補助錠において、本体に形成したつまみ嵌挿孔に回転操作可能に支持したつまみのつまみ本体に突設した手指をもって回転操作を行えるようにしたつまみ片の手指の保持位置に、カムに形成した押圧操作片がつまみ片の外部に突出し、かつ、カムの非操作時にカムに形成した係止歯がつまみ本体の外周に突出するように、つまみ本体につまみ本体の中心を通りつまみ片と直交する方向に形成したカム嵌挿孔にカムをばね圧をかけて嵌挿して、つまみ片を手指でつまむことによってカムの押圧操作片を同時に押圧操作できるようにするとともに、前記つまみ嵌挿孔と同心状の外周位置の本体の内周面に、前記カムの非操作時に前記カムの係止歯と係合して、固定側アタッチメントと可動側アタッチメントの間隔が狭まる弛み方向のつまみの回転を規制し、固定側アタッチメントと可動側アタッチメントの間隔が開く締まり方向のつまみの回転を許容するラチェット歯を形成するようにしたことを特徴とするサッシ窓用補助錠。
【発明の詳細な説明】
【０００１】
【発明の属する技術分野】
本発明は、サッシ窓用補助錠に関し、特に、振動等による弛みを防止し、不正にガラス戸を開くことができないようにして防犯性を向上させたサッシ窓用補助錠に関するものである。
【０００２】
【従来の技術】
従来、サッシ窓には、ガラス戸を施錠するためにクレセント錠が配設されているが、近年、治安の悪化に伴い、このクレセント錠に加え、つまみの回転操作にてスライダに突設した可動側アタッチメントを、本体側に突設した固定側アタッチメントに対して接離方向に移動可能としてガラス戸を固定するようにしたサッシ窓用補助錠が用いられている。
【０００３】
【発明が解決しようとする課題】
ところで、従来のサッシ窓用補助錠は、つまみを回転操作することにより、窓枠の溝内で、スライダに突設した可動側アタッチメントを、本体側に突設した固定側アタッチメントに対して離間する方向に移動させ、これにより、可動側アタッチメントと固定側アタッチメントが窓枠とガラス戸間で互いに突張り合うようにして、窓枠にガラス戸を固定するようにしている。
このつまみは、サッシ窓用補助錠側に取り付けられ、サッシ窓用補助錠を、ガラス戸を固定する方向にも、また、固定を解除する方向にも、自由に回転することができるようにしているので、ガラス戸が強風を受けたり、ガラス戸に不正な方法で振動が加えられると、サッシ窓用補助錠の可動側アタッチメントが自然に弛み、補助錠によるガラス戸の固定が解除されるという問題があった。
【０００４】
本発明は、上記従来のサッシ窓用補助錠の有する問題点に鑑み、ガラス戸に風圧や不正な方法で振動が加えられても、サッシ窓用補助錠の弛みを防止し、防犯性を向上するようにしたサッシ窓用補助錠を提供することを目的とする。
【０００５】
【課題を解決するための手段】
上記目的を達成するため、本発明のサッシ窓用補助錠は、裏面に螺旋状突条を形成したつまみの回転操作にてスライダに突設した可動側アタッチメントを、本体側に突設した固定側アタッチメントに対して接離方向に移動可能としてガラス戸を固定するようにしたサッシ窓用補助錠において、本体に形成したつまみ嵌挿孔に回転操作可能に支持したつまみのつまみ本体に突設した手指をもって回転操作を行えるようにしたつまみ片の手指の保持位置に、カムに形成した押圧操作片がつまみ片の外部に突出し、かつ、カムの非操作時にカムに形成した係止歯がつまみ本体の外周に突出するように、つまみ本体につまみ本体の中心を通りつまみ片と直交する方向に形成したカム嵌挿孔にカムをばね圧をかけて嵌挿して、つまみ片を手指でつまむことによってカムの押圧操作片を同時に押圧操作できるようにするとともに、前記つまみ嵌挿孔と同心状の外周位置の本体の内周面に、前記カムの非操作時に前記カムの係止歯と係合して、固定側アタッチメントと可動側アタッチメントの間隔が狭まる弛み方向のつまみの回転を規制し、固定側アタッチメントと可動側アタッチメントの間隔が開く締まり方向のつまみの回転を許容するラチェット歯を形成するようにしたことを特徴とする。
【０００６】
このサッシ窓用補助錠は、本体に回転操作可能に支持したつまみの保持位置にカムを配設するとともに、本体の内周面に、前記カムの非操作時にカムと係合して、カムの非操作時に前記カムの係止歯と係合して、固定側アタッチメントと可動側アタッチメントの間隔が狭まる弛み方向のつまみの回転を規制し、固定側アタッチメントと可動側アタッチメントの間隔が開く締まり方向のつまみの回転を許容するラチェット歯を形成するようにしているので、部品点数を少なくして構成を簡易にできる。
また、つまみを回転させるとき、このつまみをつまむことによってカムを同時に押圧しないかぎり、カムとラチェット歯との係止が解除されないので、弛む方向のつまみの回転を規制することができ、ガラス戸に風圧や不正な方法で振動が加えられても、サッシ窓用補助錠の弛みを防止することができるとともに、カムの非操作時でも、締まる方向のつまみの回転を許容するように構成することにより、サッシ窓用補助錠のサッシ窓への装着を簡単に、かつ確実に行うことができる。
【０００７】
【発明の実施の形態】
以下、本発明のサッシ窓用補助錠の実施の形態を図面に基づいて説明する。
【０００８】
図１〜図６に、本発明のサッシ窓用補助錠の一実施例を示す。
このサッシ窓用補助錠は、窓枠のサッシ挿通移動用溝（図示省略）を横切るようにして配設できる大きさのＬ字形をした本体１と、この本体１に移動可能に取り付けて本体側に突設する固定側アタッチメント１１と協動してサッシ挿通移動用の溝内に突っ張り合って固定する可動側アタッチメント３１を突設したスライダ３と、回転可能にして本体１内に収納してスライダ３を移動させるようにしたつまみ４と、このつまみ４にばね圧下にて挿通して一方向にのみ回転を許容するようにした本体１の内周面に形成したラチェット歯と噛合し、かつ押圧操作することによりつまみの反時計方向の回転を許容するようにしたカム５と、裏板２とから構成される。
【０００９】
Ｌ字形をした本体１は、図２に示すように、本体片１０の一端側で、その横方向に突出した固定側のアタッチメント１１を一体に形成し、この本体片１０の外周を取り囲み、かつ固定側のアタッチメント１１側に突出するようにして側片１２を配設し、また本体片１０の内部には本体片１０の内面より少し突出するようにしてスライダ３の移動方向を規制しつつ、スライダ３の移動を円滑に行うためのガイド片１４，１４を平行になるように突設し、かつガイド片１４，１４の横方向で、固定側アタッチメント１１と反対位置につまみ４を嵌挿するつまみ嵌挿孔１３を本体片１０を貫通するようにして形成し、さらに、このつまみ嵌挿孔１３の外周部で、かつ本体片１０の内側面の一部を切り欠くようにして、カム５が係合した状態でつまみ４の一方向、具体的には、締まる方向の回転を許容するようにしたラチェット歯１５を形成するとともに、側片１２、あるいは側片１２の内側の沿って裏板２を固定する複数本の円柱状をした裏板止片１６，１６を形成して一体に構成する。
なお、固定側のアタッチメント１１の外側面には、サッシとの押圧接固定を確実に行うため、ゴム板などの緩衝板Ｇを嵌合貼着する浅い溝１１ａを形成し、また円柱状の裏板止片１６は、裏板２を本体１に均一に固定するため、側片１２に沿って複数本を突設する。
【００１０】
裏板２は、図３に示すように、本体１の裏側で側片１２内に嵌合して装着されるようにした平板状で、この裏板本体２０の長手方向中央部には、スライダ３及び該スライダ３に突設した可動側アタッチメント３１を挿通するためのガイド孔２１を縦長状にして穿孔し、さらに該ガイド孔２１の外周位置においてスライダ３を移動案内するための浅い溝状のガイド溝２２を裏板本体２０の裏面側を座刳り状に研削して形成し、このガイド溝２２内にスライダ３の全体、若しくは一部を嵌合するようにして、スライダ３を該ガイド溝２２に沿って予め定めた方向にのみ移動して導くようにするとともに、この裏板２に本体１の裏板止片１６を貫通し、裏板止片１６の先端部をかしめて本体側に固定できるように取付孔２３，２３を穿孔して構成する。
また、ガイド溝２２の両側には、ガイド孔２１内に挿通したスライダ本体片３０の旋回を許容できるよう少し突設するようにして突条のガイド片２４，２４を形成する。
なお、この裏板２の本体１への固定は、かしめ方式に限定されることなく、本体１に突設する裏板止片１６の代わりに、本体１にねじ孔（図示省略）を穿孔し、このねじ孔にビスをもって裏板２を取り付けるようにすることもできる。
【００１１】
スライダ３は、図４に示すように、本体片１０の外周を取り囲むようにして形成した側片１２の内側に挿入し、かつ裏板２のガイド溝２２内に嵌挿移動可能とした平板状とし、このスライダ本体片３０には、背面に突設した可動側アタッチメント３１と反対側の面に、つまみ４の回転によりスライダ３を移動するようにした螺旋状突条４２と噛合する歯３２を突設して形成する。
また、可動側アタッチメント３１は、固定側アタッチメント１１と共に、窓枠サッシの溝内に互いに対向するようにして挿入され、突っ張り合うような形状、例えば、図示のような平板状とし、スライダ３の背面に突設するようにして一体に形成し、かつこのスライダ３を本体１に組み込んだとき、固定側アタッチメント１１と互いに対向し、接離方向に移動するようにする。
【００１２】
この歯３２は、図１、図４（Ｂ）、（Ｃ）に示すように、つまみ４側に突設した螺旋状突条４２のカーブに一致して曲線形をした突出係片状のものの複数を、螺旋状突条４２の半径方向に沿うように１列状態にして突設配列して形成し、かつ複数歯片間の間隔を、螺旋状突条４２にて噛合するようにして定め、これによりつまみ４を回転させることにより、その回転数に応じてスライダ３が円滑に移動するように構成する。なお、可動側アタッチメント３１の外側面には浅い溝３１ａを形成し、これに緩衝板Ｇを嵌合貼着する。
【００１３】
つまみ４は、図５に示すように、円盤状のつまみ本体４０の一側面に、手指をもって回転操作を容易に行えるようにした突条形のつまみ片４１を突設するとともに、このつまみ本体４０を本体１のつまみ嵌挿孔１３内に嵌合され、円滑に回転するようにした短円柱状とし、このつまみ本体４０の裏面側に螺旋状突条４２を突設するとともに、つまみ本体４０内にカム５を嵌挿するためのカム嵌挿孔４３をつまみ片４１と交わる方向に形成して一体に構成する。
また、つまみ本体４０に形成するカム嵌挿孔４３は、図５（Ａ）、（Ｃ）に示すようにコイル状のばね６と平板状のカム５を嵌挿できる形状とするとともに、カム５の押圧操作片５１を挿入する溝４４をカム嵌挿孔４３と導通するようにつまみ片４１に形成する。そして、このカム嵌挿孔４３には内奥部よりばね６、カム５を嵌挿する。
【００１４】
カム５は、図１及び図６に示すように、平板状で、上部に押圧操作片５１を突設し、基端部５２を、つまみ４のカム嵌挿孔４３内に嵌挿し、他端側にラチェット歯１５と噛合する係止歯５３を突設するようにして構成する。
この押圧操作片５１はつまみ４のつまみ片４１に形成するスリット状の溝４４内に嵌挿し、つまみ片４１をつまむことによって必要に応じて同時に押圧操作できるように押圧操作片５１の一部はつまみ片４１の外部に突出するようにする。
また、カム５を押圧操作することにより、カム５が安定して摺動するように、カム５を押圧操作したとき、カム５の係止歯５３が本体１のつまみ嵌挿孔１３から外に出ないように、カム５の係止歯５３及びカム５の押圧操作片５１を挿入する溝４４の長さを設定するようにする。
【００１５】
次に、本発明のサッシ窓用補助錠の組立方法と作用について説明する。
まず、つまみ４のカム嵌挿孔４３内にばね６とカム５の基端部５２を挿入し、このカム５をつまみ４内にばね圧に抗して押し込めつつ、つまみ４を本体１の裏側よりつまみ嵌挿孔１３内に挿入する。このとき、つまみ嵌挿孔１３内には本体片１０が嵌合され、つまみ片４１は本体外へ突出し、カム５の係止歯５３はばね圧により本体１のラチェット歯１３の１つと係止するようになる。
また、裏板２にはスライダ３を組み合わせる。これは裏板２の内側あるいは外側よりスライダ本体片３０をガイド孔２１内を挿通して裏板２のガイド溝２２内に嵌まるように、また、可動側アタッチメント３１は裏板２より外方へ突出するようにする。
【００１６】
次に、つまみ４を組み込んだ本体１の裏側に、スライダ３を組み込んだ裏板２をあてがい、裏板止片１６を取付孔２３内に挿入し、この裏板止片１６の先端をかしめることにより一体とする。これにより、つまみ４は可動側アタッチメント３１が固定側アタッチメント１１より離間する方向（時計方向）には自由に回転するが、反時計方向にはラチェット歯１５とカム５の係止歯５３とが係止し、廻り止めとなる。
しかし、カム５の押圧操作片５１をばね圧に抗して押圧し、カム５をつまみ４のカム嵌挿孔４３内へ押し込むようにすると、係止歯５３とラチェット歯１５との係止が解除され、つまみ４は反時計方向にも回転可能となり、これによりつまみ４を反時計方向に回転させることにより可動側アタッチメント３１は固定側アタッチメント１１側へ移動するようになり、サッシに固着されていたサッシ補助錠を取り外しできるようになる。
【００１７】
また、本発明のサッシ窓用補助錠を使用する場合は、従来と同様に窓用サッシのサッシ挿通移動用溝を横切り、かつ閉じたガラス戸の側端面に本体１が当接するようにして配設する。このとき、固定側アタッチメント１１と、可動側アタッチメント３１とをサッシ挿通移動用溝内に挿入するようにする。
この状態で、つまみ４を、施錠する方向に正回転させると、スライダ３がつまみ４の回転に応じて移動し、可動側アタッチメント３１が固定側アタッチメント１１と離間する方向に移動して固定側アタッチメント１１と可動側アタッチメント３１とがサッシ挿通移動用溝内にて互いに突っ張り合って溝内にて固定される。
このサッシ窓用補助錠を装着する場合、つまみ４の回転は、カム５と外れる方向の、ラチェット歯１５の回転許容方向であるため、つまみ４の回転操作が簡単に行え、これにより主としてクレセント錠によるガラス戸の施錠を、サッシ窓用補助錠にて補助的に行うことができる。
【００１８】
ところで、サッシに装着したサッシ窓用補助錠を取り外すには、ラチェット歯１５に係止したカム５は解錠方向の逆回転方向には回転しないようになっているため、このカム５をラチェット歯４１の係止から外さなければつまみ４は回転しない。
この場合は、つまみ４をつまむ手指でカム５の押圧操作片５１をばね６に抗して引っ張り、ラチェット歯１５からカム５の係止歯５３による係止を解除すると、ラチェット歯１５は施錠時と反対方向に回転可能となる。
この状態で、つまみ４を施錠時と反対方向に回転させると、つまみ４と一体となっている螺旋状突条４２が回転して、螺旋状突条４２と噛合したスライダ３を移動させ、このスライダ３に一体となった可動側アタッチメント３１を共に移動させて解錠、すなわちサッシ挿通移動用溝への固着が解除されるものである。
【００１９】
以上、本発明のサッシ窓用補助錠について、その実施例に基づいて説明したが、本発明は上記実施例に記載した構成に限定されるものではなく、例えば、カム５及びラチェット歯１５を、カム５の非操作時に、締まる方向のつまみの回転を許容するように構成することに代えて、つまみをつまむことによってカムを同時に押圧しないかぎり、つまみを回転することができないように構成する等、その趣旨を逸脱しない範囲において適宜その構成を変更することができるものである。
【００２０】
【発明の効果】
本発明のサッシ窓用補助錠によれば、本体に回転操作可能に支持したつまみの保持位置にカムを配設するとともに、本体の内周面に、カムの非操作時に前記カムの係止歯と係合して、固定側アタッチメントと可動側アタッチメントの間隔が狭まる弛み方向のつまみの回転を規制し、固定側アタッチメントと可動側アタッチメントの間隔が開く締まり方向のつまみの回転を許容するラチェット歯を形成するようにしているので、部品点数を少なくして構成を簡易にできる。
また、つまみを回転させるとき、このつまみをつまむことによってカムを同時に押圧しないかぎり、カムとラチェット歯との係止が解除されないので、弛む方向のつまみの回転を規制することができ、ガラス戸に風圧や不正な方法で振動が加えられても、サッシ窓用補助錠の弛むことがなく、防犯性を向上することができるとともに、カムの非操作時でも、締まる方向のつまみの回転を許容するように構成することにより、サッシ窓用補助錠のサッシ窓への装着を簡単に、かつ確実に行うことができる。
そして、カムは、つまみをつまむことによって、片手で簡単に押圧操作することができる。
【図面の簡単な説明】
【図１】  本発明のサッシ窓用補助錠の一実施例を示す断面図である。
【図２】  本体を示し、（Ａ）は正面図、（Ｂ）は裏面図、（Ｃ）は側面図、（Ｄ）は平面図、（Ｅ）は断面図である。
【図３】  裏板を示し、（Ａ）は正面図、（Ｂ）は裏面図、（Ｃ）は平面図、（Ｄ）は側面図である。
【図４】  スライダを示し、（Ａ）は正面図、（Ｂ）は裏面図、（Ｃ）は側面図、（Ｄ）は底面図である。
【図５】  つまみを示し、（Ａ）は正面図、（Ｂ）は左側面図、（Ｃ）は右側面図、（Ｄ）は裏面図である。
【図６】  カムを示し、（Ａ）は正面図、（Ｂ）は平面図である。
【符号の説明】
１    本体
１０  本体片
１１  固定側アタッチメント
１２  側片
１３  つまみ嵌挿孔
１５  ラチェット歯
１６  裏板止片
２    裏板
２１  ガイド孔
２２  ガイド溝
２４  ガイド片
３    スライダ
３０  スライダ本体片
３１  可動側アタッチメント
３２  歯
４    つまみ
４０  つまみ本体
４１  つまみ片
４２  螺旋状突条
４３  カム嵌挿孔
４４  溝
５    カム
５１  押圧操作片
５２  基端部
５３  係止歯
６    ばね
【図１】
0003834225.tif 000002
【図２】
0003834225.tif 000003
【図３】
0003834225.tif 000004
【図４】
0003834225.tif 000005
【図５】
0003834225.tif 000006
【図６】
0003834225.tif 000007